(57)【特許請求の範囲】
【請求項１】
上から見て直交状に配置される一方のパネルと他方のパネルとを、両パネルが作る角部に配する連結具で固定するパネルの固定構造であって、上記の連結具が、一方のパネルの下部に取り付けられる第１部材と、この第１部材の取り付け位置に対応して他方のパネルの下部に取り付けられる第２部材とで形成され、上記の第１部材が起立状の係合部を備え、上記の第２部材が、上記の係合部に上から抱き込むようにして係着する垂下状の嵌め付け部を備えて形成され、一方のパネルが天板を備えた対面型キッチンキャビネットの側板であり、他方のパネルが当該キャビネットの背板であり、他方のパネルの上端に対応する天板の下側位置に、他方のパネルの上端を嵌め付けるための箇所が形成され、この箇所に他方のパネルの上端が配置され、この箇所に差し込む隙間閉塞材で他方のパネルの上端が固定可能に形成されていることを特徴とするパネルの固定構造。
【請求項２】
請求項１記載のパネルの固定構造であって、起立状の係合部が、板片状に形成され、一方のパネルの第１部材用の取り付け面に対して直交状に配置されていることを特徴とするパネルの固定構造。
【請求項３】
請求項１又は２記載のパネルの固定構造であって、垂下状の嵌め付け部が、下端になるほど外側に傾斜して起立状の係合部の上端と擦接する傾斜状部を備えて形成されていることを特徴とするパネルの固定構造。
【発明の詳細な説明】
【技術分野】
【０００１】
本発明は、パネルの固定構造に関する。更に詳しくは、例えば天板を備えたキッチンキャビネットの前板と側板、側板と背板のように、上から見て９０度隔てて交わるパネル同士の固定に適するよう形成したパネルの固定構造に関するものである。
【背景技術】
【０００２】
従来、この種のキャビネットにおいて、ダイニング側の化粧パネル（背板）を固定する構造としては、天板の奥の立ち上がり部の上端と、化粧パネルの上端部とを接合し、この箇所に逆角樋形（断面コの字形）の部材を嵌め付け、この部材で固定する構造が知られている。
【０００３】
ところで、例えば対面型のキッチンキャビネットは、背板がダイニングやリビングルームに面するため、この種キャビネットのパネルの固定構造は、連結部品の露出を防止して体裁良く、しかも少ない部品で簡単且つ迅速に固定できるよう形成されているのが望ましい。
しかるに、従来の特許文献１の構造は、上記の通り、パネルの接合箇所に連結部品を嵌め付け、この連結部品でパネル同士を挟み付けて固定する構造であった。
従って、これによると、嵌め付け部材が露出するのを避けられず、体裁が悪くなり、露出部分にゴミが溜まって掃除の必要性が生じ、露出する連結部品によって思わぬ怪我をすることもあった。
また従来構造は、上記の通り、パネルの、例えば上端同士を接合する必要があるため、これによると、キャビネットの側板と背板のように、上から見て９０度隔てて交わる箇所のパネルの固定には利用できない、という問題点があった。
【先行技術文献】
【特許文献】
【０００４】
【特許文献１】特開２００５−１２４９７２号公報
【発明の概要】
【発明が解決しようとする課題】
【０００５】
本発明は、このような従来技術の問題点に鑑み、提案されたものである。
従って本発明の解決しようとする技術的課題は、連結部材の露出を防止でき、直交状に交わるパネル同士を、体裁良く、また少ない部品で簡単且つ迅速に固定できるよう形成したパネルの固定構造を提供することにある。
【課題を解決するための手段】
【０００６】
本発明は、上記の課題を解決するため、次のような技術的手段を採る。
即ち本発明は、図１等に示されるように、上から見て直交状に配置される一方のパネル１と他方のパネル２とを、両パネル１、２が作る角部に配する連結具５で固定するパネルの固定構造であって、上記の連結具５が、一方のパネル１の下部に取り付けられる第１部材６と、この第１部材６の取り付け位置に対応して他方のパネル２の下部に取り付けられる第２部材７とで形成され、上記の第１部材６が起立状の係合部６ａを備え、上記の第２部材７が、上記の係合部６ａに上から抱き込むようにして係着する垂下状の嵌め付け部７ａを備えて形成され、一方のパネル１が天板３を備えた対面型キッチンキャビネット４の側板であり、他方のパネル２が当該キャビネット４の背板であり、他方のパネル２の上端に対応する天板３の下側位置に、他方のパネル２の上端を嵌め付けるための箇所８が形成され、この箇所８に他方のパネル２の上端が配置され、この箇所８に差し込む隙間閉塞材９で他方のパネル２の上端が固定可能に形成されていることを特徴とする（請求項１）。
【０００７】
ここで、両パネル１、２が作る角部とは、上から見て９０度隔てて交わる箇所を意味し、角から多少離れた位置（近傍）を含む。また本発明の場合、第１部材６、第２部材７は、通常、金属板を曲げ加工することで形成されるが、その材料や製造法は自由である。また係合部６ａの形状は、嵌め付け部７ａの形状に合わせて適宜選定されるので良い。ここで、係着とは、嵌め付け部７ａと係合部６ａとが確実に組み合わされて離れない状態になる、ということを意味する。
【０００８】
而して、本発明は、起立状の係合部６ａが、板片状に形成され、一方のパネル１の第１部材６用の取り付け面１ａに対して直交状に配置されているのが好ましい（請求項２）。
なぜならこれによると、嵌め付け部７ａとの係着の範囲が広くなり、嵌め付け部７ａを嵌め付け易くなるからである。
【０００９】
また本発明は、垂下状の嵌め付け部７ａが、下端になるほど外側に傾斜して起立状の係合部６ａの上端と擦接する傾斜状部７ａ１を備えて形成されているのが好ましい（請求項３）。
なぜならこれによると、傾斜状部７ａ１を係合部６ａの上端にあてがって他方のパネル２を下ろすことにより、係合部６ａに嵌め付け部７ａを円滑に嵌め付けることができるからである。
【発明の効果】
【００１０】
本発明は、このように一方のパネルと他方のパネルとを連結する連結具が、一方のパネルの下部に取り付けられる第１部材と、この第１部材の取り付け位置に対応して他方のパネルの下部に取り付けられる第２部材とで形成され、上記の第１部材が起立状の係合部を備え、上記の第２部材が上記の係合部を上から抱き込むよう突き出されて係合部に係着する垂下状の嵌め付け部を備えて形成されているものである。
従って、本発明によれば、連結具の露出を防止できるから体裁良く、また少ない部品で簡単且つ迅速にパネルを直交状に固定できる。
【００１１】
また本発明は、一方のパネルが天板を備えた対面型キッチンキャビネットの側板であり、他方のパネルが当該キャビネットの背板である。
従って、これによると、対面型キッチンキャビネットの側板と背板との連結を、体裁良く、迅速にでき、また少ない部品で簡単にできる。
【００１２】
また本発明は、他方のパネルの上端に対応する天板の下側位置に、他方のパネルの上端を嵌め付けるための箇所が形成され、この箇所に他方のパネルの上端が配置され、この箇所に差し込む隙間閉塞材で他方のパネルの上端が固定可能に形成されている。
従って、これによると、他方のパネルの上端を露出させることなく体裁良く固定でき、他方のパネルの交換、取り外しも、隙間閉塞材を外すだけで簡単にできる。
【図面の簡単な説明】
【００１３】
【図１】本発明の固定構造の好適な一実施形態を示すパネル設置時の要部側面図である。
【図２】同上固定構造のパネル固定後の要部側面図である。
【図３】第１部材の斜視図である。
【図４】第１部材の側面図である。
【図５】第１部材の平面図である。
【図６】第１部材の正面図である。
【図７】第２部材の斜視図である。
【図８】第２部材の平面図である。
【図９】第２部材の正面図である。
【図１０】図９のＸ−Ｘ線における断面図である。
【図１１】他方のパネルの上端の嵌め付け構造を示す、キャビネットの側面図である。
【図１２】他の実施形態を示すパネル設置時の要部斜視図である。
【図１３】図１２の実施形態のパネル設置時の要部側面図である。
【図１４】他の固定構造用の連結部材を示す斜視図である。
【図１５】図１４の連結部材の正面図である。
【図１６】図１４の連結部材の平面図である。
【図１７】図１４の連結部材の側面図である。
【発明を実施するための形態】
【００１４】
以下、本発明を実施するための好適な一実施形態を、添付図面に従って説明する。
図１等において、１は上から見て直交状に配置される一方のパネルであり、２は他方のパネルである。一方のパネル１は、本発明では、図１１に示されるように、天板３を備えた対面型キッチンキャビネット４の側板である。また他方のパネル２は、当該キャビネット４の背板である。
【００１５】
５は、両パネル１、２が作る角部に配される連結具である。一方のパネル１と他方のパネル２は、この連結具５で直交状に固定される。連結具５は、一方のパネル１の下部に取り付けられる第１部材６と、この第１部材６の取り付け位置に対応して他方のパネル２の下部に取り付けられる第２部材７とで形成される。
【００１６】
上記の第１部材６は、起立状の係合部６ａを備え、上記の第２部材７は上記の係合部６ａを上から抱き込むよう係合部６ａに係着する垂下状の嵌め付け部７ａを備えて形成されている。第１部材６及び第２部材７は、図３、図７等に示されるように、例えば金属板が曲げ加工されることにより形成される。
【００１７】
また起立状の係合部６ａは、この実施形態では、垂直の板片状に形成されている。そして、図３、図５等に示されるように、この係合部６ａは、一方のパネル１の第１部材６用の取り付け面１ａに対して直交状に配置されている。
【００１８】
６ｂ（図３参照）は、係合部６ａと一体化した水平板部である。この水平板部６ｂは、一方のパネル１の第１部材６用の取り付け面１ａに面接触する垂直板部６ｃと一体状に形成され、金属板が鉤形に曲げ加工されることにより形成されている。垂直板部６ｃの、係合部６ａと対応する側の端部６ｄは、一方のパネル１の側端面１ｂに当接するよう、鉤形に曲げられている。なお、６ｅは第１部材６を一方のパネル１にネジ止めするためのネジ孔である。
本発明は、第１部材６が、このように形成されているため、水平板部６ｂの下面を一方のパネル１の下端面に合わせ、また端部６ｄを一方のパネル１の側端面１ｂに当接させて、第１部材６をパネル１に固定することができる。従ってこれによると、第１部材６の上下方向の位置決めを容易化できる。
【００１９】
また第２部材７の嵌め付け部７ａは、図１、図７等に示されるように、下端になるほど外側に傾斜して起立状の係合部６ａの上端と擦接する傾斜状部７ａ１を備えて形成されている。嵌め付け部７ａは、金属板が曲げ加工され、他方のパネル２の取り付け面２ａに面接触する平板部７ｂと一体状に形成されている。
【００２０】
具体的には、図７、図９等の図面上において、平板部７ｂの下部の両側から上向きに切込み７ｃが入れられ、間の箇所７ｄが、図１０に示されるように、クランク形に曲げ加工されることにより形成されている。この実施形態の場合、角度Ａ、Ｂは、９０度である。そして、間の箇所７ｄの下部が、外側に傾斜状に曲げられ、傾斜状部７ａ１に形成されている。なお、７ｅは、第２部材７を他方のパネル２にネジ止めするためのねじ孔である。
本発明の場合、第２部材７は、上記の切込み７ｃにより、その外側に脚片７ｆが左右一対状に形成される。従って、第２部材７を他方のパネル２に取り付ける場合は、脚片７ｆの下端部を、他方のパネル２の下端面に合わせて取り付けることができるから、これによれば、第２部材７の上下方向の位置決めを容易化できる。
【００２１】
而して、第２部材７がネジ止めされた他方のパネル２は、本発明では上記の通り、天板３を備えた対面型キッチンキャビネット４の背板である。他方のパネル２としての背板は、本発明では天板３の下側に嵌め付けられることにより、固定されている。
【００２２】
具体的には、図１１に示されるように、他方のパネル２としての背板の上端に対応する天板３の下側位置に、背板の上端を嵌め付けるための箇所８が形成されている。この箇所８は、キャビネット４を側面から見たとき、天板３の立ち下げ片３ａと、一方のパネル１としての側板と、天板３の奥側（後側）の位置とで囲まれる下面開口状のスペースである。他方のパネル２の上端は、この箇所８に配置され、この箇所８に差し込まれる隙間閉塞材９で固定される。なお、隙間閉塞材９は、ネジ１０で止め付けられる。
【００２３】
次に、パネルの連結の仕方を説明する。
作業者は、先ず、一方のパネル１の下部の所定位置に、第１部材６を、その水平板部６ｂ、端部６ｄを利用してネジ止めする。また、この第１部材６に対応する他方のパネル２の下部位置に、第２部材７を、パネル２の下端面に脚片７ｆを合わせてネジ止めする。
【００２４】
次に作業者は、一方のパネル１を先に立て、この一方のパネル１の第１部材６に第２部材７が係着するよう、第２部材７の嵌め付け部７ａの傾斜状部７ａ１を、第１部材６の係合部６ａの上端にあてがいながら、他方のパネル２を徐々に下ろして立てる。そして作業者が、他方のパネル２を垂直にして上から押すと（パネルの重さによっては自重により）、嵌め付け部７ａが係合部６ａを抱き込むように、係合部６ａに係着する。これにより他方のパネル２としての背板が、一方のパネル１である側板に固定される。
【００２５】
以上の処において、本発明は、上記の連結具５が、図１２、図１３に示されるように形成されているのでも良い。
この実施形態の連結具５は、上例と同様、一方のパネル１に取り付けられる第１部材６と、他方のパネル２に取り付けられる第２部材７とで形成されている。そして第１部材６の基本構成は上例と同様であるが、係合部６ａは、一方のパネル１の側端面１ｂから遠く離された位置に配置されている。
【００２６】
また第２部材７は、第１部材６に対応する、他方のパネル２の下部に、上例と同様、ネジ１１で取り付けられる。この第２部材７は、この実施形態では、縦向きの細板状に形成され、他方のパネル２の取り付け面２ａから、上記の係合部６ａに嵌め付け部７ａが嵌め付け可能になるよう長く突き出されている。
【００２７】
第２部材７は、この実施形態では上記の通り、縦向きの細板状に形成されている。そのため、上例の傾斜状部７ａ１は、嵌め付け部７ａを形成する鉤形垂直部７ａ２の内側に実現されている。
而してこの実施形態の場合も、上例と同様、他方のパネル２を持ち上げ、第２部材７の嵌め付け部７ａを、一方のパネル１の係合部６ａに上から嵌め付けることにより、両パネル１、２が固定されるものである。
【００２８】
なお、一方のパネル１と他方のパネル２を直交状に連結する場合、角部に配する連結用の部材としては、その他、例えば図１４〜図１７に示されるものがある。
この実施形態の連結部材１２は、一方のパネル１の取り付け面１ａに取り付けられる鉤形状の取付部１２ａと、他方のパネル２（図１６参照）を載せるための受け部１２ｂとを一体状に備え、金属板で形成されている。なお、連結部材１２は、ネジ孔１２ｃを介して一方のパネル１にネジ止めされる。
そして受け部１２ｂの前側は立ち上げられ、起立片部１２ｄに形成されている。他方のパネル２は、この起立片部１２ｄにより、前後の位置が決定され、位置ずれが防止される。
【００２９】
また、上例の各実施形態において、本発明は、一方のパネル１と他方のパネル２との接合面に、パッキン等が挟み込まれているのでも良い。なぜならこれによると、両パネル１、２の接合部の水密性、気密性を図ることができ、またガタツキ等を抑えることができるからである。
【符号の説明】
【００３０】
１      一方のパネル
２      他方のパネル
３ 天板
４ 対面型キッチンキャビネット
５      連結具
６      第１部材
６ａ    係合部
７      第２部材
７ａ    嵌め付け部
８ 他方のパネル２の上端を嵌め付けるための箇所
９ 隙間閉塞材
【図１】
0005577748.tif 000002
【図２】
0005577748.tif 000003
【図３】
0005577748.tif 000004
【図４】
0005577748.tif 000005
【図５】
0005577748.tif 000006
【図６】
0005577748.tif 000007
【図７】
0005577748.tif 000008
【図８】
0005577748.tif 000009
【図９】
0005577748.tif 000010
【図１０】
0005577748.tif 000011
【図１１】
0005577748.tif 000012
【図１２】
0005577748.tif 000013
【図１３】
0005577748.tif 000014
【図１４】
0005577748.tif 000015
【図１５】
0005577748.tif 000016
【図１６】
0005577748.tif 000017
【図１７】
0005577748.tif 000018